(57)【要約】【課題】インターネット等の情報流通環境上に１つのシステムの中に階層構造を有するホームページを作成することにより、更新管理を容易に行うことが出来るホームページ作成システムの提供。【解決手段】インターネット上に於けるホームページ作成システムであって、ホームページを作成可能とする雛型と、雛型によって作成された情報提供媒体となる情報ページ及び情報ページの一覧をしめす索引ページと、情報ページ及び索引ページで構成されるホームページと、オートリンクによって該索引ページが他の索引ページ及び／又は他の情報ページを包含することによって多段階に渡る階層構造を有する構造になる階層構造ホームページと、雛型及び該階層構造ホームページを記憶するサーバーとからなり、索引ページは下層で情報ページ及び／又は索引ページが作成されると自動で前記索引ページへオートリンクさせる機能を有することを特徴とする。【選択図】　図２
2004078635.tif 000002
【特許請求の範囲】
【請求項１】
インターネット上に於けるホームページ作成システムであって、
ホームページ作成希望者が所望するホームページを作成可能とする雛型と、
該雛型によって作成された情報提供媒体となる情報ページ及び情報ページの一覧を示す索引ページと、
該情報ページ及び該索引ページで構成されるホームページと、
該ホームページの構造が、オートリンクによって該索引ページが他の索引ページ及び／又は他の情報ページを包含することによって多段階に渡る階層構造を有する構造になる階層構造ホームページと、
該雛型及び該階層構造ホームページを記憶するサーバーとからなり、
前記索引ページは、下層で情報ページ及び／又は索引ページが作成されると自動で前記索引ページへオートリンクさせる機能を有することを特徴とする階層構造ホームページに於けるホームページ作成システム。
【請求項２】
下層にあるホームページを更新管理した際に上層にあるホームページに更新管理した旨を自動で表示する機能を有し、該上層にあるホームページを閲覧することで該下層にあるホームページが更新管理されたかどうか確認できるように構成したことを特徴とする請求項１記載の階層構造ホームページに於けるホームページ作成システム。
【請求項３】
前記索引ページが、該ページより下層にある索引ページ及び情報ページの背景色等のデザインを全て一括して変更可能にするデザイン雛型を有していることを特徴とする請求項１又は２記載の階層構造ホームページに於けるホームページ作成システム。
【請求項４】
前記階層構造ホームページを有する前記サーバーは、該サーバーに接続可能な端末から正しいパスコード入力がされた際に、該当するホームページの階層の雛型へアクセスを可能にすると共に、アクセスされた該階層から最下層までのホームページ更新を可能にする機能を有することを特徴とする請求項１乃至３いずれかに記載の階層構造ホームページに於けるホームページ作成システム。
【発明の詳細な説明】
【０００１】
【発明の属する技術分野】
本発明は、階層構造ホームページに於けるホームページ作成システムに関し、より詳しくは、インターネット等の情報流通環境上に１つのシステムの中に階層構造を有するホームページを作成することにより、ホームページ作成者がホームページの作成・更新・追加・削除等の更新管理を容易に行うことが出来ると共に、階層構造を有することで下層ホームページでの更新管理が行われた旨を自動的に上層のホームページに通達しその旨を表示することができ尚且つホームページの領域分割管理を可能とするホームページ作成システムに関する。
【０００２】
【従来の技術】
インターネット上にホームページを作成し開設するには、先ず、ホームページ作成者がＨＴＭＬ（Ｈｙｐｅｒ　Ｔｅｘｔ　Ｍａｒｋｕｐ　Ｌａｎｇｕａｇｅ）と呼ばれるホームページ作成用のコンピューター言語を使用してホームページを作成する。次に、任意のサーバーに作成したホームページをアップロードして保管させる。その際に、そのホームページの保管場所を示すインターネット上のアドレスが示され、そのアドレスをインターネット上で入力してやることによりホームページが閲覧可能となりホームページが開設される。
しかし、このような方法では、ＨＴＭＬの知識がある程度必要されるため、最近ではＨＴＭＬの知識が全く無い者でもホームページ作成ができるように所定の入力方法に従って入力するだけで所望のホームページを作成することのできるソフトウェアが市販されている。
【０００３】
しかしながら、インターネットに於けるホームページはその内容を適宜に更新等すると共に最新の内容にしておくことが望まれるため、ホームページ作成者はホームページ更新等の度にホームページを１から作成する必要があった。
また、ホームページに新たな内容を付け加えたり削除したりする際には、ホームページを１から作成する必要が無くても、更新若しくは修正等されたホームページをインターネット閲覧者に知らせるために更新若しくは修正等された旨をわざわざ表紙となるホームページ等に記載しなければ成らない等の煩わしさがあった。
また更に、個人で楽しむホームページは大容量となる場合は稀な場合なのでさほど問題にはならないが、例えば会社、役場及び役所等に於けるホームページは大容量の情報を掲載しなければならず、ホームページを管理することに大きな手間暇がかかることになる。これに対して、会社の部署毎又はホームページ毎にホームページ管理を行うと、各ホームページが独特なホームページとなり全体的にホームページに統一性がなくなり、ホームページ閲覧者にとっては見難いものになる問題が生じていた。
【０００４】
【発明が解決しようとする課題】
本発明は、このような実情に鑑みてなされたもので、インターネット等の情報流通環境上に１つのシステムの中に階層構造を有するホームページを作成することにより、ホームページ作成者がホームページの作成・更新・追加・削除等の更新管理を容易に行うことが出来ると共に、階層構造を有することで下層ホームページでの更新管理が行われた旨を自動的に上層のホームページに通達しその旨を表示することができ尚且つホームページの領域分割管理を可能とするホームページ作成システムを提供する。
【０００５】
【課題を解決するための手段】
請求項１記載の発明は、インターネット上に於けるホームページ作成システムであって、ホームページ作成希望者が所望するホームページを作成可能とする雛型と、該雛型によって作成された情報提供媒体となる情報ページ及び情報ページの一覧を示す索引ページと、該情報ページ及び該索引ページで構成されるホームページと、該ホームページの構造が、オートリンクによって該索引ページが他の索引ページ及び／又は他の情報ページを包含することによって多段階に渡る階層構造を有する構造になる階層構造ホームページと、該雛型及び該階層構造ホームページを記憶するサーバーとからなり、前記索引ページは、下層で情報ページ及び／又は索引ページが作成されると自動で前記索引ページへオートリンクさせる機能を有することを特徴とする階層構造ホームページに於けるホームページ作成システムを提供する。
【０００６】
請求項２記載の発明は、下層にあるホームページを更新管理した際に上層にあるホームページに更新管理した旨を自動で表示する機能を有し、該上層にあるホームページを閲覧することで該下層にあるホームページが更新管理されたかどうか確認できるように構成したことを特徴とする請求項１記載の階層構造ホームページに於けるホームページ作成システムを提供する。
【０００７】
請求項３記載の発明は、前記索引ページが、該ページより下層にある索引ページ及び情報ページの背景色等のデザインを全て一括して変更可能にするデザイン雛型を有していることを特徴とする請求項１又は２記載の階層構造ホームページに於けるホームページ作成システムを提供する。
【０００８】
請求項４記載の発明は、前記階層構造ホームページを有する前記サーバーは、該サーバーに接続可能な端末から正しいパスコード入力がされた際に、該当するホームページの階層の雛型へアクセスを可能にすると共に、アクセスされた該階層から最下層までのホームページ更新を可能にする機能を有することを特徴とする請求項１乃至３いずれかに記載の階層構造ホームページに於けるホームページ作成システムを提供する。
【０００９】
【発明の実施の形態】
本発明の実施形態について、図面を参照しつつ説明する。
本発明に係るシステムは、インターネット上に於けるホームページ作成システムであって、ホームページを作成可能とする雛型と、情報ページ及び索引ページとから構成され、更新した旨を自動で表示する機能及びホームページの背景色等のデザインを変更する機能を有する階層構造ホームページと、サーバーと、ホームページ作成希望者の端末から成る。
【００１０】
サーバーは、ホームページ及びホームページ作成のための雛形を記録し保管しておく。本発明の雛形は、情報提供媒体となる情報ページを作成するための情報ページ作成用雛形と、包含する情報ページの一覧を示す索引ページを作成するための索引ページ作成用雛形から成り立つ。両雛型は、必要項目を記入することによってホームページ作成希望者が所望するホームページを作成できるようにプログラムされている。更に、索引ページ雛型には、デザインを決定するデザイン雛型を有している。
【００１１】
まず、ホームページ作成希望者は、索引ページを索引ページ作成用雛型の項目を記入して索引ページを作成する。その際の記載事項は、特に限定はしないが、その索引ページの特徴を示すタイトル等を必須記入事項にしておく。次に、情報提供媒体となる情報ページを作成するために、ホームページ作成希望者は、所望するホームページに掲載する情報及び画像を情報ページ作成用の雛型の項目に記入する。その際の記載事項は、特に限定はしないが、その情報ページの特徴がわかるようにタイトル等を記入することを必須事項にしておく。また、索引ページを先に作ることで、必ず情報ページは先に作った索引ページから自動的にオートリンクされ索引ページに含有されることになる。索引ページも先に作った索引ページに含有される。この仕組みによって上層と下層が生じることになる。
索引ページは、その索引ページが包含する情報ページ及び索引ページの上述した特徴を示すタイトル等を表示するようにしておく。
情報ページ及び索引ページは、そのページの上層にあるページのデザインを自動で反映させる。
【００１２】
図１は、索引ページと情報ページとの関係を説明するための３層構造を有する概略図である。先ず、索引ページ（１１）を作成し、次に情報ページ（２１及び２２）と索引ページ（２９）を作成する。この段階で上層は索引ページ（１１）であり、下層は情報ページ（２１及び２２）と索引ページ（２９）である２層構造を有するホームページが作成できる。更に、索引ページ（２９）の下層に情報ページ（３１及び３２）を作成することで３層構造のホームページが作成できることとなる。
索引ページ（１１）は情報ページ（２１及び２２）と索引ページ（２９）を包含している。索引ページ（１１）は、情報ページ（２１及び２２）と索引ページ（２９）のタイトル等を表示する。これにより、索引ページ（１１）は、間接的に情報ページ（３１及び３２）を支配（含有）していることになる。
【００１３】
図２は、５段階の階層を有する階層構造ホームページの構造を示す概略図である。本発明の実施の形態を説明するために５段階構造の階層構造ホームページを使用するが、階層構造ホームページの構造階層数は任意であり、ホームページ作成希望者がどのような階層構造を構成するのか決定すればよい。また、この実施形態では、上記した情報ページ及び索引ページの特徴を示すものをタイトル名とする。
索引ページは、情報ページ及び他の索引ページを包含することによって多段階の構造（図２では５段階構造）を構成することがわかる。
【００１４】
索引ページ（１０１）は、インターネット上でアクセスされると、索引ページ（１０１）が包含する索引ページ（２０１、２０２）及び情報ページ（２１０）のタイトルを表示する。表示された情報ページ（２１０）のタイトルをクリックすると情報ページ（２１０）にリンクアクセスされその内容が表示される。表示された索引ページ（２０１）のタイトルをクリックすると、索引ページ（２０１）が包含する索引ページ（３０１）及び情報ページ（３１０、３２０）のタイトルが表示される。表示される情報ページ（３１０、３２０）のタイトルをクリックするとそれぞれの情報ページにリンクアクセスされ情報が閲覧可能となる。表示された索引ページ（３１０）のタイトルをクリックすると索引ページ（３１０）にリンクアクセスされ索引ページ（３１０）が包含する情報ページ（４１０、４２０）及び索引ページ（４０１、４０２）の各タイトルを表示する。表示された各索引ページ（４０１、４０２）のタイトルをクリックすると各索引ページが包含する情報ページのタイトルを表示する。第２階層にある索引ページ（２０２）でも同様にリンクアクセスすると索引ページ（２０２）が包含する情報ページ（３３０、３４０）のタイトルを表示する。
【００１５】
図３は、図２で示された階層構造を変更した階層構造ホームページの概略図を示す。本発明に於ける階層構造ホームページ構造では、索引ページに情報ページ若しくは他の索引ページを包含させて階層構造を構築している。そのため、階層構造を変更するために、移動させたい情報ページ若しくは索引ページがあれば、移動させたい場所の上層にある索引ページに新しくオートリンクさせて包含させればよいだけなので容易に移動させ階層構造を変更できる。
索引ページ（４０２）を索引ページ（４０１）に包含させることによって図２では５段階層構造であったホームページが図３では６段階層構造を有することになる。また、情報ページ（２１０）を索引ページ（２０２）に包含させることも容易に出来る。このように、本発明に於ける階層構造はいつでも任意の階層構造に容易に変更することができる。
【００１６】
ホームページは、最新の情報に適宜更新されることが望まれる。本発明に於いて、ホームページの内容を作成・更新・追加・削除等の更新管理を行う場合は、ホームページ作成用の雛型をホームページ作成者の所望するように項目の書き換えを行えばよい。ホームページの内容が更新管理された場合、そのホームページが包含されている上層の索引ページにその旨が自動で通信され包含されるホームページが新しくなった旨を表示する。
索引ページに新しくなった旨を表示する表示方法は、特に限定されないが、該当する上層の索引ページのタイトルを表示する更に上層の索引ページで、「Ｎｅｗ」「新」などの文字をタイトルに付加してもよいしタイトルの色を変更してもよい。また、更新管理した日付等を表示させることによって更新管理した日付がわかるようにもできる。
【００１７】
また更に、上層の索引ページが更新管理されたので、その更に上層の索引ページが包含する索引ページが更新管理されたことになる。つまり、上記したように包含するホームページが更新管理されれば、その旨が自動でその上層にある索引ページに表示されることになる。そのため、下層でホームページを更新管理しても次々に自動で上層に更新管理された旨が表示されることとなる。最下層にあるホームページ若しくは索引ページが新しく管理されても、最上層の索引ページまでその管理した旨を通達し表示することになる。このように、ホームページ作成者が下層のホームページを更新管理しても、ホームページ作成者がわざわざ上層のホームページに下層のホームページが更新管理された旨を表示することなしに自動で更新管理した旨を表示する。
【００１８】
本発明に於けるホームページは階層構造を有することから、ある索引ページより下層にある索引ページ及び情報ページの背景色等のデザインを一括して変更することが可能である。索引ページ雛型の中にデザイン雛型の必要項目を変更記入することで、そのページから下層にある索引ページ及び情報ページのデザイン全ての変更ができる。
例えば、図２に於いて、索引ページ（２０１）の下層にあるホームページを赤色の背景を有するホームページに作成したい場合には、索引ページ（２０１）でその下層のホームページが赤色の背景を有するようにデザイン雛型を設定する。その設定を行うだけで、索引ページ（３０１、４０１、４０２）及び情報ページ（３１０、３２０、４１０、４２０、５１０、５２０、５３０、５４０）は赤色の背景を有することに成る。
【００１９】
本発明に於ける階層構造ホームページ及びホームページ作成用雛型は、サーバーに保管されているため、ホームページ作成者の端末は、端末に専用のソフトウェアを購入し端末に設定準備しなくても、サーバーにアクセスすることだけでホームページを作成できる。作成されたホームページもサーバー上で保管される。そのため、ホームページ作成者は、サーバーに接続できる端末さえあれば、何処からでもホームページ作成若しくは更新管理が可能になる。
【００２０】
また、ホームページ作成用の雛型にアクセスするためのパスコードを設定することで、サーバーがホームページ作成者からの正しいパスコード入力がされた際にのみ更新管理を行える雛型にアクセスすることを可能にする。
【００２１】
更にこのパスコードを入力した際に、更新管理できる領域はパスコードによってアクセス可能となった階層のホームページ作成用雛型から最下層のホームページ作成用雛型まで制限される。例えば、図２に於いて、索引ページ（３０１）にアクセス可能なパスコードを入力したホームページ作成者が更新管理できるホームページは、索引ページ（３０１、４０１、４０２）及び情報ページ（４１０、４２０、５１０、５２０、５３０、５４０）となる。索引ページ（２０２）にアクセス可能なパスコードを入力したホームページ作成者が更新管理できるホームページは、索引ページ（２０２）及び情報ページ（３３０、３４０）となる。
以上が本発明に於けるシステムとその機能の説明である。
【００２２】
本発明に於ける利用方法を説明する。
図４は、本発明を利用する場合のフローチャートを示す。
ホームページ作成希望者は、インターネット接続可能な端末を用意し、前もってパスコードを取得しておく。ホームページ作成者は、パスコードを入力しサーバーにアクセスする（ステップ１）。ホームページ作成者は、所望するホームページになるよう階層構造を考慮しながらホームページ作成雛型（情報ページ作成用雛型及び索引ページ作成用雛型）の項目を記入する（ステップ２）。ホームページ作成者が所望するホームページが出来上がればサーバーに保管すると共にインターネット上に掲載してもらう（ステップ３）。
【００２３】
適宜時間経過後、ホームページ作成者は、ホームページを更新する必要が生じる（ステップ４）。その際には、ホームページ作成者は、ホームページ作成用雛型にアクセスし、パスコードをサーバーに入力しその雛型とアクセスを可能にする（ステップ５）。そして、ホームページ作成用雛型とアクセスすることが可能になれば、更新事項を新たにその雛型の項目に記入する（ステップ６）。そうなれば、更新管理されたホームページが存在することを自動的に上層のタイトルに表示する（ステップ７）。ホームページをサーバーに保管しインターネット上に掲載する（ステップ８）。
【００２４】
更に、ホームページ作成者が、図２のような階層構造を有する階層構造ホームページを作成したとする。ホームページ作成者が、ホームページ更新時期（ステップ６）に於いて、全体的に背景のデザインを季節の雰囲気に合わせたいと思えば、最上層にある索引ページ（１０１）にアクセスし、索引ページ作成用雛型の中にあるデザイン雛型のデザイン変更を行えばそれより下層にあるホームページが全て自動でデザインの更新がされる。また、索引ページ（３０１）より下層のホームページだけデザインの変更をしたければ、索引ページ（３０１）の索引ページ作成用雛型の中にあるデザイン雛型にアクセスして、索引ページ（３０１）の雛型のデザインを変更すればよい。勿論、変更前に雛型を設定しておけば、該当ホームページだけのデザインだけが変更できる。
【００２５】
本発明に於いて、図２のような階層構造を有するホームページを分割管理して利用する場合を説明する。大企業のホームページ若しくは役所のホームページ等のような大容量の情報を有するホームページを考えた場合、本発明に於ける階層構造ホームページを有し、分割管理を行うことで更新管理がとても容易に行うことができる。例えば、図２に於ける階層構造ホームページに於いて、第１階層（索引ページ１０１）にアクセスできるパスコードを有するのは社長の管理とし、第２階層（索引ページ２０１、２０２）にそれぞれアクセスできるパスコードを有するのは部長の管理とし、第３階層（索引ページ３０１）にアクセスできるパスコードを有するのは課長の管理とし、第４階層（索引ページ４０１、４０２）にアクセスできるパスコードを有するのは係長の管理とし、第５階層（情報ページ５１０、５２０、５３０、５４０）にアクセスできるパスコードを有するのは一般社員とする。そうした場合に、各階層を管理する者は必ず自分よりも上層を管理することはできないが自分の階層を含む下層は全て管理可能となる。
【００２６】
更に、各層を管理する者が決まっているのでホームページ更新に際しても特定の者が手間暇をかけなくてもよいし、部署毎又はホームページ毎に更新をして統一性がなくなっても上層の階層にアクセスが可能な者が一度に統一性を持たせるように更新すればよい。下層で更新されたホームページの場所も更新した旨もタイトルに表示されるので上層からの確認も容易に行える。つまり、ホームページ上でもきちんとした統一性のあるホームページが作成できると共にホームページ更新内容もしっかりと把握できる。
【００２７】
【発明の効果】
請求項１記載の発明に於いては、インターネット上に於けるホームページ作成システムであって、ホームページ作成希望者が所望するホームページを作成可能とする雛型と、該雛型によって作成された情報提供媒体となる情報ページ及び情報ページの一覧をしめす索引ページと、該情報ページ及び該索引ページで構成されるホームページと、該ホームページの構造が、オートリンクによって該索引ページが他の索引ページ及び／又は他の情報ページを包含することによって多段階に渡る階層構造を有する構造になる階層構造ホームページと、該雛型及び該階層構造ホームページを記憶するサーバーとからなり、前記索引ページは、下層で情報ページ及び／又は索引ページが作成されると自動で前記索引ページへオートリンクさせる機能を有することを特徴とする階層構造ホームページに於けるホームページ作成システムを提供する。このことによって、ホームページ作成希望者が容易に所望するホームページを作成できると共にその後の煩わしいホームページ更新作業を容易にし、インターネットを更に身近に利用できる情報媒体網とすることができる。また、ホームページ作成者の端末にホームページの試作を保存しておく必要がないので端末に掛ける負担が少なくできる。
【００２８】
請求項２記載の発明に於いては、下層にあるホームページを更新管理した際に上層にあるホームページに更新管理した旨を自動で表示する機能を有し、該上層にあるホームページを閲覧することで該下層にあるホームページが更新管理されたかどうか確認できるように構成したことを特徴とする請求項１記載の階層構造ホームページに於けるホームページ作成システムを提供する。このことによって、ホームページが更新管理されたことをインターネット上のホームページ閲覧者が容易に認知できるようになり、ホームページ閲覧者にとって煩わしい作業である逐一ホームページを閲覧して管理更新されているか調べる作業を必要とせず、ホームページ閲覧者が最上層の索引ページを閲覧するだけでホームページが更新されたことを認知でき、新たな情報を取得できることになる。
【００２９】
請求項３記載の発明に於いては、前記索引ページが、該ページより下層にある索引ページ及び情報ページの背景色等のデザインを全て一括して変更可能にするデザイン雛型を有していることを特徴とする請求項１又は２記載の階層構造ホームページに於けるホームページ作成システムを提供する。このことによって、各ホームページが統一性を有するホームページを作成できる。そのため、ホームページ作成者にとっては簡単にホームページが作成でき、ホームページ閲覧者にとってはホームページの統一性のある、見やすい美しいホームページを閲覧することができるようになる。
【００３０】
請求項４記載の発明に於いては、前記階層構造ホームページを有する前記サーバーは、該サーバーに接続可能な端末から正しいパスコード入力がされた際に、該当するホームページの階層の雛型へアクセスを可能にすると共に、アクセスされた該階層から最下層までのホームページ更新を可能にする機能を有することを特徴とする請求項１乃至３いずれかに記載の階層構造ホームページに於けるホームページ作成システムを提供する。このことによって、ホームページ作成者がサーバーに接続できる端末からであればパスコードを入力するだけでどこからでもホームページ作成用雛形にアクセスできると共に階層構造ホームページに於けるホームページ更新管理におけるアクセス権を制限できる。そのため、ホームページ作成者はどんな場所からでも端末一台でホームページを管理できる。また、膨大な情報量を有するホームページに於いてもきちんと更新管理できるために、大企業、行政などの情報量が大きく細分化された部署等が存在する所に於けるホームページ作成システムとして大きな力を発揮することができる。
【図面の簡単な説明】
【図１】本発明に於ける索引ページと情報ページとの関係を説明するための３層構造を有する概略図である。
【図２】本発明に於ける階層構造ホームページの５段階層構造ホームページの概略図である。
【図３】図２で示された階層構造を変更した階層構造ホームページの概略図を示す。
【図４】本発明を利用する場合のフローチャートを示す。
【符号の説明】
１・・・・・・・・ホームページ
１１・・・・・・・索引ページ
２１、２２・・・・情報ページ
２９・・・・・・・索引ページ
３１、３２・・・・情報ページ
１０１・・・・・・索引ページ
２０１、２０２・・索引ページ
２１０・・・・・・情報ページ
３０１・・・・・・索引ページ
３１０、３２０、３３０、３４０・・・情報ページ
４０１、４０２・・索引ページ
４１０、４２０・・情報ページ
５１０、５２０、５３０、５４０・・・情報ページ
【図１】
2004078635.tif 000003
【図２】
2004078635.tif 000004
【図３】
2004078635.tif 000005
【図４】
2004078635.tif 000006